(57)【特許請求の範囲】
【請求項１】
本体部(20)、インジェクションキャップ(30)、外側キャップ(40)を組み合わせてなるものである液体サンプリング装置(10)であって、
本体部(20)が、
外形が立方体又は直方体の外壁部(21)で外殻が形成されており、両端側にサンプリング対象となる液体を流すための管と接続できる２つの接続口(22,23)を有し、
内部に前記２つの接続口(22,23)を連絡する液流路(24)を有しており、
更に前記液流路(24)に繋がる液体サンプルの採取孔(25)を有しており、
前記採取孔(25)が、外壁部(21)の一面の中央部を貫通して突出された筒状壁(26)で形成されており、筒状壁(26)の外周面には、インジェクションキャップ(30)とネジ合わせるためのネジ部(26a)が形成されており、筒状壁(26)の周囲には、インジェクションキャップ(30)と外側キャップ(40)を取り付けるための環状溝(27)が形成されており、環状溝(27)の筒状壁(26)が正対する周面には、外側キャップ(40)とネジ合わせるためのネジ部(27a)が形成されているものであり、
インジェクションキャップ(30)が、
円形の底部(31)から突出された外側筒状壁(32)と、底部(31)の中央部を貫通して突出された、筒状壁(26)内に挿入できる寸法の内側環状壁(33)とを有しており、
外側環状壁(32)の内周面には、本体部の筒状壁(26)の外周面に形成されたネジ部(26a)とネジ合わせるためのネジ部(32a)が形成されており、
内側環状壁(33)内には、液体サンプルを採取するためのゴム部(34)を有しているものであり、
外側キャップ(40)が、
円形の底部(41)と、底部(41)の中央部から突出された筒状壁(42)を有しており、
筒状壁(42)の外周面には、本体部(20)のネジ部(27a)とネジ合わせるためのネジ部(42a)が形成されており、
前記インジェクションキャップ(30)を密閉した状態で包囲して、前記本体部(20)に着脱自在にネジ合わせて取り付けられるものであり、
本体部(20)、インジェクションキャップ(30)、外側キャップ(40)のそれぞれがネジ合わせて取り付けられることで、内部に本体部(20)、インジェクションキャップ(30)及び外側キャップ(40)から囲まれた、滅菌状態に維持することができる密閉された空間（50）が形成されている、液体サンプリング装置。
【請求項２】
請求項１記載の液体サンプリング装置を用いた液体サンプルの採取方法であって、
本体部(20)の２つの接続口(22,23)の一方に１つの管入口を接続し、他方に別の管出口
を接続し、前記１つの管から、本体部の液流路(24)を経て、他方の管にサンプリング対象となる液体を流す第１段階、
外側キャップ(40)を外して密閉空間(50)を開放し、消毒液が含浸された含浸体が充填されているときは取り除く第２段階、
使用済みのインジェクションキャップ(30)を外し、新しいインジェクションキャップ(30)をネジ合わせて取り付ける第３段階、
インジェクションキャップ(30)をした状態で、そのゴム部分(34)に、サンプリング用の注射針を本体部の液流路(24)に到達するまで刺し込み、サンプリング対象となる液体を採取し、注射針を引き抜く第４段階、
消毒液が含浸された含浸体が密閉空間(50)内に位置するように充填した後で外側キャップ(40)をネジ合わせて取り付けて密閉空間(50)を形成して、インジェクションキャップ(30)を密封状態にする第５段階、
を有しており、
以上の第２段階〜第５段階又は第１〜第５段階を繰り返す、液体サンプルの採取方法。
【請求項３】
請求項１記載の液体サンプリング装置を用いた液体サンプルの採取方法であって、
本体部(20)の２つの接続口(22,23)の一方に１つの管入口を接続し、他方に別の管出口
を接続し、前記１つの管から、本体部の液流路(24)を経て、他方の管にサンプリング対象となる液体を流す第１段階、
外側キャップ(40)を外す第２段階、
インジェクションキャップ(30)をした状態で、そのゴム部分(34)に、サンプリング用の注射針を本体部の液流路(24)に到達するまで刺し込み、サンプリング対象となる液体を採取し、注射針を引き抜く第３段階、
使用済みのインジェクションキャップ(30)を外し、外側キャップ(40)をネジ合わせて取り付け、この状態にて加熱滅菌した後、冷却する第４段階、
外側キャップ(40)を外し、本体部(20)の環状溝(27)内に液体が入ったときは除去した後、新しいインジェクションキャップ(30)をネジ合わせて取り付け、再度外側キャップ(40)をネジ合わせて取り付ける第５段階を有しており、
以上の第２〜第５段階又は第１〜第５段階を繰り返す、液体サンプルの採取方法。
【発明の詳細な説明】
【技術分野】
【０００１】
本発明は、液体サンプリング装置とそれを用いた液体サンプルの採取方法に関する。
【背景技術】
【０００２】
医療機関や研究機関等では、滅菌状態で液体サンプルを採取する場合がある。このようなサンプリング装置として、特許文献１〜３がある。しかし、これらの先行技術は、滅菌状態でのサンプリングやサンプリング対象の液漏れ等の点で改善の余地がある。
【０００３】
【特許文献１】特開２００２−１４０１５号公報
【特許文献２】特許第３１４４７７５号公報
【特許文献３】特許第３４９７５６７号公報
【発明の開示】
【発明が解決しようとする課題】
【０００４】
本発明は、常に滅菌状態でサンプリングすることができ、サンプリング対象となる液漏れが生じることがない、液体サンプリング装置とそれを用いた液体サンプルの採取方法を提供することを課題とする。
【課題を解決するための手段】
【０００５】
請求項１の発明は、管と接続できる２つの接続口を有し、内部に前記２つの接続口を連絡する液流路を有しており、更に前記液流路に繋がる液体サンプルの採取孔を有している本体部と、
前記液体サンプルの採取口に着脱自在に取り付けられ、液体サンプルを採取するための軸方向に連続したゴム部を有しているインジェクションキャップと、
前記インジェクションキャップを密閉した状態で包囲して、前記本体部に着脱自在に取り付けられる外側キャップを有している、液体サンプリング装置を提供する。
【０００６】
請求項２の発明は、請求項１記載の液体サンプリング装置を用いた液体サンプルの採取方法であって、
本体部の２つの接続口の一方に１つの管入口を接続し、他方に別の管出口を接続し、前記１つの管から、本体部の液流路を経て、他方の管にサンプリング対象となる液体を流す第１段階、
外側キャップを外す第２段階、
使用済みのインジェクションキャップを外し、新しいインジェクションキャップを取り付ける第３段階、
インジェクションキャップをした状態で、そのゴム部分に、サンプリング用の注射針を本体部の液流路に到達するまで刺し込み、サンプリング対象となる液体を採取し、注射針を引き抜く第４段階、
外側キャップを取り付け、インジェクションキャップを密封状態にする第５段階、
を有しており、
以上の第２段階〜第５段階又は第１〜第５段階を繰り返す、液体サンプルの採取方法を提供する。
【０００７】
請求項３の発明は、請求項１記載の液体サンプリング装置を用いた液体サンプルの採取方法であって、
本体部の２つの接続口の一方に１つの管入口を接続し、他方に別の管出口を接続し、前記１つの管から、本体部の液流路を経て、他方の管にサンプリング対象となる液体を流す第１段階、
外側キャップを外す第２段階、
インジェクションキャップをした状態で、そのゴム部分に、サンプリング用の注射針を本体部の液流路に到達するまで刺し込み、サンプリング対象となる液体を採取し、注射針を引き抜く第３段階、
使用済みのインジェクションキャップを外し、外側キャップを取り付け、この状態にて加熱滅菌した後、冷却する第４段階、
外側キャップを外し、外側キャップ内の液体を除去した後、新しいインジェクションキャップを取り付け、再度外側キャップを取り付ける第５段階を有しており、
以上の第２段階〜第５段階又は第１〜第５段階を繰り返す、液体サンプルの採取方法を提供する。
【発明の効果】
【０００８】
本発明のサンプリング装置用いることにより、常に滅菌状態にてサンプリングすることができる。
【発明を実施するための最良の形態】
【０００９】
＜液体サンプリング装置＞
（１）図１、図２のサンプリング装置
図１、図２により、本発明のサンプリング装置を説明する。図１は、組立前のサンプリング装置を構成する各部品の縦方向の断面図であり、図２は、組立後のサンプリング装置の縦断面図である。
【００１０】
図２に示すように、サンプリング装置１０は、本体部２０、インジェクションキャップ３０、外側キャップ４０を組み合わせてなるものであり、インジェクションキャップ３０のゴム部を除いて金属製である。
【００１１】
図１に示すように、外形が立方体又は直方体である本体部２０は、４面からなる外壁部２１で外殻が形成されており、両端側にサンプリング対象となる液体を流すための管と接続できる２つの接続口２２、２３を有している。２つの接続口２２、２３の内周面には、接続する管とネジ合わせるためのネジ部が形成されていてもよい。
【００１２】
本体部２０は、内部に、２つの接続口２２、２３を連絡する液流路２４を有しており、外壁部２１の一面を貫通して、液流路２４にまで繋がる液体サンプルの採取孔２５を有している。
【００１３】
液体サンプルの採取孔２５は、外壁部２１の一面の中央部を貫通して突出された筒状壁２６で形成されており、筒状壁２６の外周面には、インジェクションキャップ３０とネジ合わせるためのネジ部２６ａが形成されている。
【００１４】
筒状壁２６の周囲には、インジェクションキャップ３０と外側キャップ４０を取り付けるための環状溝２７が形成されている。環状溝２７の筒状壁２６が正対する周面には、外側キャップ４０とネジ合わせるためのネジ部２７ａが形成されている。
【００１５】
図１に示すように、インジェクションキャップ３０は、円形の底部３１から突出された外側筒状壁３２と、底部３１の中央部を貫通して突出された内側環状壁３３とを有している。内側環状壁３３の外径寸法は、筒状壁２６内にぴったりと挿入できる程度の寸法である。
【００１６】
外側環状壁３２の内周面には、本体部の筒状壁２６の外周面に形成されたネジ部２６ａとネジ合わせるためのネジ部３２ａが形成されている。内側環状壁３３内には、ゴムが充填されたゴム部３４が形成されている。
【００１７】
図１に示すように、外側キャップ４０は、円形の底部４１と、底部４１の中央部から突出された筒状壁４２を有している。筒状壁４２の外周面には、本体部のネジ部２７ａとネジ合わせるためのネジ部４２ａが形成されている。
【００１８】
図２に示すように、サンプリング装置１０は、本体部２０、インジェクションキャップ３０、外側キャップ４０のそれぞれがネジ合わせて取り付けられており、各部品を組み合わせたとき、各部品の寸法を調整することにより、空間５０が形成されるようになっている。空間５０には、滅菌状態を維持するため、消毒液等を含浸させたスポンジや脱脂綿のような含浸体を充填することもできる。
【００１９】
（２）図３のサンプリング装置
図３のサンプリング装置は、図１、図２の本体部２０に相当する本体部のみの縦断面図であり、図３の本体部は、第１本体部１２０と第２本体部１３０が組み合わされている点で、図１、図２のサンプリング装置１０の本体部２０と異なっている。なお、図示していないが、図３の本体部は、図１、図２のサンプリング装置１０と同様にインジェクションキャップ３０と外側キャップ４０と組み合わせて使用する。
【００２０】
第１本体部１２０は、外形が立方体又は直方体のものであり、４面からなる外壁部１２１で外殻が形成されており、両端側にサンプリング対象となる液体を流すための管と接続できる２つの接続口１２２、１２３を有している。２つの接続口１２２、１２３の内周面には、接続する管とネジ合わせるためのネジ部が形成されていてもよい。第１本体部１２０は、内部に、２つの接続口１２２、１２３を連絡する液流路１２４を有している。
【００２１】
第２本体部１３０は、円形の底部１３１と、その中央部を貫通して突出された筒状壁１３２を有している。筒状壁１３２の外周面にはネジ部１３２ａが形成され、底部１３１の周面にはネジ部（図示せず）が形成されている。
【００２２】
第１本体部１２０の外壁部１２１の一面には、中央部に貫通孔を有する円形凹部１２７が形成されており、円形凹部１２７内に第２本体部１３０が取り付けられている。図３では、円形凹部１２７に第２本体部１３０を取り付けたときの残部空間が、図１における環状溝２７に相当する環状溝となる。
【００２３】
前記円形凹部１２７の内周面にはネジ部１２７ａが形成されており、第２本体部１３０は、底部１３１の周面に形成されたネジ部とネジ部１２７ａをネジ合わせることで固定されている。
【００２４】
図３の本体部（第１本体部１２０と第２本体部１３０の組み合わせ）は、図１に示すインジェクションキャップ３０のネジ部３２ａをネジ部１３２ａとネジ合わせ、更に外側キャップ４０のネジ部４２ａをネジ部１２７ａとネジ合わせることで、図２に相当するサンプリング装置にすることができる。
【００２５】
＜液体サンプルの採取方法＞
（１）第１の液体サンプルの採取方法
図１、図２により、第１の液体サンプルの採取方法を説明する。なお、以下に示す各段階の操作は限定されるものではなく、例えば、２つ以上の段階を適宜組み合わせて１つにしたり、１つの段階を２つ以上の段階に分けたりしてもよい。
【００２６】
（第１段階）
図２に示す状態にて、本体部２０の接続口２２に１つの管入口を接続し、接続口２３別の管出口を接続する。そして、前記１つの管から、本体部の液流路２４を経て、他方の管にサンプリング対象となる液体を流す。接続口２２、２３と管との接続方法は、液漏れがしない方法であればよく、必要に応じてアダプターやシール部材を介在させることができる。
【００２７】
（第２段階）
次に、本体部２０から外側キャップ４０を外す。これにより、インジェクションキャップ３０が外部雰囲気に暴露されることになる。
【００２８】
（第３段階）
次に、使用済みのインジェクションキャップ３０を外し、新しいインジェクションキャップ３０を取り付ける。
【００２９】
（第４段階）
次に、インジェクションキャップ３０をした状態で、そのゴム部３４に、サンプリング用の注射針を本体部の液流路３４に到達するまで刺し込み、サンプリング対象となる液体を採取し、注射針を引き抜く。
【００３０】
（第５段階）
次に、外側キャップ４０を取り付け、インジェクションキャップ３０を密封状態にする。このとき、必要に応じて、空間５０内に消毒液含浸体を充填する。このようにして、使用済みのインジェクションキャップ３０を新しい（即ち、滅菌された）インジェクションキャップ３０に取り替え、外側キャップ４０で密閉状態にすることで、次回のサンプリング時まで、確実に滅菌状態を維持することができ、次回サンプリング時の菌による汚染が防止される。
【００３１】
なお、第３段階において、新しいインジェクションキャップ３０に交換せずに、第４段階に移行してサンプリングした後、新しいインジェクションキャップ３０を取り付けてもよい。
【００３２】
このように、第１の液体サンプルの採取方法では、以上の第２段階〜第５段階又は第１〜第５段階を繰り返すことで、長期間、常に滅菌された状態でサンプリングすることができるようになる。なお、定期的にサンプリングするため、通常は、第２段階〜第５段階を繰り返すことになるが、本体部２０と外側キャップ４０がネジ合わせられて強く結合しているので、管内の圧力が高くなり、液流路２４内を流れる液体の圧力によってインジェクションキャップ３０が破損した場合でも、外側キャップ４０により、液体が外に飛び出たりすることはない。
【００３３】
（２）第２の液体サンプルの採取方法
図１、図２により、第２の液体サンプルの採取方法を説明する。なお、以下に示す各段階の操作は限定されるものではなく、例えば、２つ以上の段階を適宜組み合わせて１つにしたり、１つの段階を２つ以上の段階に分けたりしてもよい。
【００３４】
（第１段階〜第３段階）
第１段階〜第３段階は、第１の液体サンプルの採取方法の第１段階、第２段階及び第４段階と同じである。
【００３５】
（第４段階）
次に、使用済みのインジェクションキャップ３０を外し、外側キャップ４０を取り付け、この状態にて加熱滅菌した後、冷却する。このとき、液流は停止しておくことが望ましいが、流した状態でもよい。
【００３６】
（第５段階）
次に、外側キャップ４０を外し、外側キャップ内の液体を除去した後、新しい（即ち、滅菌された）インジェクションキャップ３０を取り付け、再度外側キャップ４０を取り付ける。なお、この操作は、滅菌して冷却後、直ちに行ってもよいし、次回のサンプリング時に行ってもよい。また、加熱滅菌時に液流を停止しないときには、環状溝２７内に液体が入っていることもあるので、除去する。
【００３７】
このように、第２の液体サンプルの採取方法では、以上の第２段階〜第５段階又は第１〜第５段階を繰り返すことで、常に滅菌された状態でサンプリングすることができるようになる。なお、第１の液体サンプルの採取方法と同様に、外側キャップ４０により、液体が外に飛び出たりすることが防止される。
【図面の簡単な説明】
【００３８】
【図１】本発明のサンプリング装置を分解した状態（組立前の状態）の断面図。
【図２】本発明のサンプリング装置の縦方向の断面図。
【図３】別実施形態の縦方向の部分断面図。
【符号の説明】
【００３９】
１０  サンプリング装置
２０  本体部
２２、２３  管接続口
２４  液流路
３０  インジェクションキャップ
３４  ゴム部
４０  外側キャップ
【図１】
0005449667.tif 000002
【図２】
0005449667.tif 000003
【図３】
0005449667.tif 000004